(57)【要約】  【課題】  扉に覗き窓を設けるにも関わらず扉表面を平滑な平面あるいは湾曲面にでき、しかも覗き窓の断熱性能を高めることができる冷蔵庫構造を提供する。  【解決手段】  冷蔵庫１の断熱筐体１０には扉２１、２２、２３、２４が設けられる。各扉の表面は透明な保護パネル１００で覆われる。扉２１の一部は内部温度が製氷温度帯である製氷室７０に対向し、この箇所に製氷室７０の内部状況を確認するための覗き窓８０が設けられる。覗き窓８０の周囲を縁取る窓枠８１は発泡樹脂からなる固定窓枠８１ａを備え、この固定窓枠８１ａに形成された段部８２の中に複層構造の透視断熱ガラス９０が嵌め込まれる。透視断熱ガラス９０と保護パネル１００の間には空気断熱層９４が形成される。保護パネル１００には、覗き窓８０に対向する箇所を除き、その裏面に塗装が施される。また保護パネル１００には難燃性を備えさせる。【選択図】      図５
2005331221.tif 000002
【特許請求の範囲】
【請求項１】
表面を透明な保護パネルで覆われた扉の一部に覗き窓を設け、この覗き窓に透視断熱ガラスを嵌め込むとともに、前記保護パネルと透視断熱ガラスの間に空気断熱層を形成することを特徴とする冷蔵庫。
【請求項２】
前記保護パネルには、前記覗き窓に対向する箇所を除き、その裏面に塗装を施すことを特徴とする請求項１に記載の冷蔵庫。
【請求項３】
内部温度が切り替え可能である庫内区画に対し前記覗き窓が設けられ、前記透視断熱ガラスには、前記保護パネルを通じて外部から視認できる箇所の一部に示温塗料を塗布することを特徴とする請求項１又は２に記載の冷蔵庫。
【請求項４】
前記覗き窓の周囲に発泡樹脂からなる窓枠を配置し、この窓枠に形成した段部に前記透視断熱ガラスを係合させることを特徴とする請求項１〜３のいずれかに記載の冷蔵庫。
【請求項５】
前記庫内区画が製氷室であることを特徴とする請求項３〜４のいずれかに記載の冷蔵庫。
【請求項６】
前記保護パネル及び／又はこの保護パネルを扉に取り付けるサッシュが難燃性を備えることを特徴とする請求項１〜５のいずれかに記載の冷蔵庫。
【請求項７】
前記扉の上下辺を覆う上サッシュ及び下サッシュに互いに対向する溝を形成し、これらの溝に前記保護パネルを差し込んで保護パネルを取り付けることを特徴とする請求項１〜６のいずれかに記載の冷蔵庫。
【請求項８】
前記扉の表面には、前記保護パネルの裏面に接触する突起が所定間隔で形成されていることを特徴とする請求項７に記載の冷蔵庫。
【請求項９】
前記扉は、前記保護パネルを湾曲させて保持する構造を備えることを特徴とする請求項７又は８に記載の冷蔵庫。
【請求項１０】
次の工程を順次遂行することを特徴とする冷蔵庫組立方法：
（ａ）一部に覗き窓を有し、且つ断熱処理を終えた状態の扉を冷蔵庫本体に取り付ける工程
（ｂ）前記覗き窓に透視断熱ガラスを係合させる工程
（ｃ）前記扉の表面に、少なくとも前記覗き窓に対向する箇所が透明になった保護パネルを取り付ける工程。
【発明の詳細な説明】
【技術分野】
【０００１】
本発明は家庭用又は業務用の冷蔵庫及びその組立方法に関する。
【背景技術】
【０００２】
冷蔵庫において、庫内の状態をチェックするための覗き窓が扉に設けられることがある。そのような冷蔵庫の例を特許文献１、２に見ることができる。
【特許文献１】特開平４−６８２８６号公報（第３−４頁、図３、５）
【特許文献２】特開２００４−６９１１４号公報（第３−４頁、図１−３）
【発明の開示】
【発明が解決しようとする課題】
【０００３】
覗き窓には複層構造にしたり熱反射フィルムを組み合わせたりして断熱性能を確保した断熱ガラスが嵌め込まれる。ところで覗き窓を形成する場合、単に扉に穴を開けるだけで終わらせることはできない。というのは、穴を打ち抜いた扉の外板の断面が露出すると美観が損なわれることになるし、また板の切り口が露出していると手指が引っかかって切り傷を負う危険があるからである。そこで、打ち抜いた穴に合成樹脂製の窓枠をはめ込んで危険な切り口を覆い、また断熱ガラスの嵌め込みもスムーズに行われるようにしている。
【０００４】
このように冷蔵庫の扉に覗き窓を形成する場合、その周囲を窓枠で縁取ることはほぼ必然の構成であるが、窓枠の熱伝導により断熱性能が低下するうえ、窓枠と扉表面との間に段差が生じ平滑な扉表面が得られなくなる。扉表面に段差があると手触りが悪くなるうえ、段差の箇所に汚れが堆積して美観が劣化するという問題もある。
【０００５】
本発明は上記の点に鑑みてなされたものであり、覗き窓の断熱性能を高めることができ、しかも扉に覗き窓を設けるにも関わらず扉表面を平滑な平面あるいは湾曲面にできる冷蔵庫構造の提供を目的とする。加えて、扉に防火性能を持たせることができる冷蔵庫構造の提供を目的とする。さらに、組立を容易に行うことができる冷蔵庫構造及び冷蔵庫組立方法の提供を目的とする。
【課題を解決するための手段】
【０００６】
上記課題を解決するため、本発明では冷蔵庫を次のように構成する。
【０００７】
（１）表面を透明な保護パネルで覆われた扉の一部に覗き窓を設け、この覗き窓に透視断熱ガラスを係合させるとともに、前記保護パネルと透視断熱ガラスの間に空気断熱層を形成することを特徴としている。
【０００８】
この構成によると、覗き窓を設ける扉の表面を透明な保護パネルで覆うから、扉の手触りと美観を向上させることができる。また覗き窓に嵌め込まれる透視断熱ガラスと保護パネルとの間に空気断熱層を形成するから、覗き窓の断熱性能がさらに向上する。
【０００９】
（２）また本発明は、上記構成の冷蔵庫において、前記保護パネルには、前記覗き窓に対向する箇所を除き、その裏面に塗装を施すことを特徴としている。
【００１０】
この構成によると、さらに美観が向上する。また鋼板製の扉外板に焼き付け塗装するものと異なり、塗装に傷がつくことがない。そのため、塗装がはがれたり、傷の箇所から錆が進行したりして美観が損なわれることがない。
【００１１】
（３）また本発明は、上記構成の冷蔵庫において、内部温度が切り替え可能である庫内区画に対し前記覗き窓が設けられ、前記透視断熱ガラスには、前記保護パネルを通じて外部から視認できる箇所の一部に示温塗料を塗布することを特徴としている。
【００１２】
この構成によると、示温塗料の色を外から観察することにより、切り替え状態の温度状況を簡単に知ることができる。
【００１３】
（４）また本発明は、上記構成の冷蔵庫において、前記覗き窓の周囲に発泡樹脂からなる窓枠を配置し、この窓枠に形成した段部に前記透視断熱ガラスを係合させることを特徴としている。
【００１４】
この構成によると、窓枠と透視断熱ガラスの密着性が良く、別部品の冷気シールを設ける必要がない。また窓枠自体の断熱性が大きいので、外界の熱が透視断熱ガラスの周囲から庫内に侵入することが少なく、冷蔵庫の熱負荷を軽減できる。また透視断熱ガラス表面の結露も少なく、良好な透視性を確保できる。さらに、弾力のある発泡樹脂に透視断熱ガラスを係合させることにより、透視断熱ガラスをがたつきなく保持し、扉開閉時にびびり音が発生するのを防ぐとともに、振動に対する耐性も高めることができる。
【００１５】
また、扉の内部で断熱体を発泡させるに際しても、発泡の最中には透視断熱ガラスが存在していないから、発泡中の樹脂の圧力を受けて透視断熱ガラスが破損するといったことがない。また透視断熱ガラスが発泡樹脂に抱き込まれてしまって交換困難になることもなく、良好なサービス性を維持できる。
【００１６】
（５）また本発明は、上記構成の冷蔵庫において、前記庫内区画が製氷室であることを特徴としている。
【００１７】
この構成によると、製氷室は温度が冷凍温度帯より高めであるため冷蔵室に設けることができる。この製氷室に覗き窓を設けることとすると、覗き窓は冷蔵室に設けられることになり、冷凍室の扉開閉回数を削減できる。そして、氷の溜まり具合を外より一目でチェックできるので、無駄な開閉を少なくし、省エネルギーを促進することができる。
【００１８】
（６）また本発明は、上記構成の冷蔵庫において、前記保護パネル及び／又はこの保護パネルを扉に取り付けるサッシュが難燃性を備えることを特徴としている。
【００１９】
この構成によると、扉表面の保護パネルが難燃性であれば、筐体側から出火した場合、その火が扉から外部に燃え移り、外部が類焼するのを阻止することができる。また冷蔵庫の外で出火した場合、その火が扉を通じて筐体に燃え移り、筐体が類焼するのを阻止することができる。このように防火あるいは耐火の面で冷蔵庫の安全性を高めることができる。保護パネルを扉に取り付けるサッシュも難燃性とすれば、冷蔵庫の防火性能を一層高めることができる。
【００２０】
（７）また本発明は、上記構成の冷蔵庫において、前記扉の上下辺を覆う上サッシュ及び下サッシュに互いに対向する溝を形成し、これらの溝に前記保護パネルを差し込んで保護パネルを取り付けることを特徴としている。
【００２１】
この構成によると、保護パネルの取り付けを容易且つスムーズに行うことができる。
【００２２】
（８）また本発明は、上記構成の冷蔵庫において、前記扉の表面には、前記保護パネルの裏面に接触する突起が所定間隔で形成されていることを特徴としている。
【００２３】
この構成によると、接触部に浮きを生じたりすることなく保護パネルを保持することができる。
【００２４】
（９）また本発明は、上記構成の冷蔵庫において、前記扉は、前記保護パネルを湾曲させて保持する構造を備えることを特徴としている。
【００２５】
この構成によると、ビスや接着剤の助けを借りることなく、保護パネルを扉に密着させることができる。
【００２６】
（１０）また本発明では、冷蔵庫の組立にあたり、次の工程を順次遂行する：
（ａ）一部に覗き窓を有し、且つ断熱処理を終えた状態の扉を冷蔵庫本体に取り付ける工程
（ｂ）前記覗き窓に透視断熱ガラスを係合させる工程
（ｃ）前記扉の表面に、少なくとも前記覗き窓に対向する箇所が透明になった保護パネルを取り付ける工程。
【００２７】
この構成によると、透視断熱ガラスも保護パネルも取り付け作業を楽に行うことができる。また扉を冷蔵庫本体に取り付ける時点では透視断熱ガラスと保護パネルの分の重量が軽減されているから、作業者の負担が少なくて済む。
【発明の効果】
【００２８】
本発明によると、覗き窓を設ける扉の表面を透明な保護パネルで覆うから、覗き窓の周囲を窓枠で縁取ったとしてもその窓枠が手指に引っかかることがなく、窓枠と扉表面との段差に汚れが堆積することがない。従って扉の手触りと美観を向上させることができる。また覗き窓に嵌め込まれる透視断熱ガラスと保護パネルとの間に空気断熱層を形成するから、覗き窓の断熱性能がさらに向上する。
【発明を実施するための最良の形態】
【００２９】
以下、本発明の第１実施形態を図１〜５に基づき説明する。図１は冷蔵庫の正面図、図２は全部の扉を開放した状態の冷蔵庫の正面図、図３は扉の把手部分の構成を示す部分断面図、図４は図１のＡ−Ａ線を断面箇所とする冷蔵庫扉の部分垂直断面図、図５は図４のＢ−Ｂ線を断面箇所とする冷蔵庫扉の部分水平断面図である。
【００３０】
冷蔵庫１は、冷蔵庫本体を構成する断熱筐体１０の内部を上下左右に４分し、左上の区画を第１区画１１、右上の区画を第２区画１２、左下の区画を第３区画１３、右下の区画を第４区画１４とする（図２参照）。第１区画１１と第２区画１２の下であり、第３区画１３と第４区画１４の上である箇所には横長の帯状部分を残し、この部分を操作パネル部１５とする。
【００３１】
第１区画１１の正面開口部には扉２１を設け、第２区画１２の正面開口部には扉２２を設け、第３区画１３の正面開口部には扉２３を設け、第４区画１４の正面開口部には扉２４を設ける。扉２１と２２、扉２３と２４はそれぞれ観音開きをなす。すなわち扉２１、２３は向かって左側にヒンジ部を有し、扉２２、２４は向かって右側にヒンジ部を有する。
【００３２】
図３に見られるように、扉２１、２２は下縁に窪み状の手掛け部２５を有し、扉２３、２４は上縁に窪み状の手掛け部２６を有する。これらの手掛け部に手を掛けることにより、扉を開くことができる。
【００３３】
第１区画１１は冷蔵室３０として用いられる。冷蔵室３０は複数の棚３１により複数段に仕切られる。扉２１の内面にはボトル類や飲料の紙パックなどを収納するラック３２が複数取り付けられている。
【００３４】
第２区画１２も冷蔵室４０として用いられる。冷蔵室４０は複数の棚４１により複数段に仕切られ、最下段には引き出し式の冷蔵容器４２が置かれる。扉２１の内面にはボトル類や飲料の紙パックなどを収納するラック４３が複数取り付けられている。
【００３５】
第３区画１３は野菜室５０として用いられる。野菜室５０には計４個の野菜容器５１ａ、５１ｂ、５１ｃ、５１ｄが上下に重なる形で収納されている。野菜容器５１ａ、５１ｂ、５１ｃ、５１ｄはそれぞれ両側縁部によって野菜室５０の内面に支持されており、前方にスライドさせて引き出すことができる。扉２３の内面には長尺野菜を立てて収納する野菜立て５２が取り付けられている。
【００３６】
第４区画１４は冷凍室６０として用いられる。冷凍室６０には計４個の冷凍容器６１ａ、６１ｂ、６１ｃ、６１ｄが上下に重なる形で収納されている。冷凍容器６１ａ、６１ｂ、６１ｃ、６１ｄはそれぞれ両側縁部によって冷凍室６０の内面に支持されており、前方にスライドさせて引き出すことができる。
【００３７】
冷蔵室３０の最も下の部分には断熱区画として製氷室７０が形成される。製氷室７０の正面開口部には冷蔵室３０との間で空気が出入りするのを防ぐために扉７１が設けられる。扉７１は透明な合成樹脂からなり、開けなくても製氷室７０の内部を覗くことができる。製氷室７０の内部温度は冷凍温度帯より高めの製氷温度帯（−１０℃程度）である。
【００３８】
扉２１を開けなくても製氷室７０の内部を覗けるようにするため、扉２１には製氷室７０に対応する箇所に覗き窓８０が形成される。図４、５に覗き窓８０の箇所の断面構造を示す。
【００３９】
覗き窓８０の周囲を縁取る窓枠８１は固定窓枠８１ａと押さえ窓枠８１ｂからなる。固定窓枠８１aは発泡樹脂で形成される。発泡樹脂としては発泡スチロールを用いるのが適切である。固定窓枠８１ａの内面には断熱筐体１０の内側から外側に向かう形で２段階に段部８２、８３が形成されている。正面からの投影面積で比較した場合、正面寄りに位置する段部８３の方が奥寄りに位置する段部８２より面積大となっている。段部８２には透視断熱ガラス９０を係合させる。
【００４０】
透視断熱ガラス９０は３層のガラスを有する。第１層ガラス９０ａと第２層ガラス９０ｂの間の空間は真空断熱層９１となる。第２層ガラス９０ｂと第３層ガラス９０ｃの間の空間にはアルゴンガスのような不活性ガスを封入し、不活性ガス断熱層９２を形成する。不活性ガス断熱層９２の周囲には第２層ガラス９０ｂと第３層ガラス９０ｃを隔てるスペーサ９３が配置される。このように３層のガラスの間に２層の断熱層を設ける構成により、透視断熱ガラス９０は高い断熱性能を得ている。
【００４１】
上記のように構成された透視断熱ガラス９０を段部８２に着座させた後、段部８３に断面形状Ｔ字形の合成樹脂製押さえ窓枠８１ｂを、自身の弾性と固定窓枠８１ａの弾性を利用して弾性的に係合させ、透視断熱ガラス９０の脱落を阻止する。
【００４２】
扉２１の内部には、覗き窓８０の箇所を除き、発泡樹脂からなる断熱体２７が充填される。発泡樹脂としては発泡ポリウレタンが用いられる。断熱体２７が充填されるのは扉２１だけではなく、扉２２、２３、２４も同様である。
【００４３】
断熱体２７の充填は扉内部の空洞で樹脂を発泡させることにより行うが、扉２１にあっては固定窓枠８１ａの取付後、透視断熱ガラス９０の嵌め込み前というタイミングで実行される。というのは、固定窓枠８１ａに透視断熱ガラス９０と押さえ窓枠８１ｂを嵌め込んだ後に発泡処理を行った場合、発泡中の樹脂の圧力を受けて透視断熱ガラス９０が破損する可能性があるからである。また隙間から発泡樹脂が漏れ出して透視断熱ガラス９０を抱き込むような形になると、透視断熱ガラス９０の交換が著しく困難になる。そのため、発泡が収束し、断熱体２７が固形化してから透視断熱ガラス９０を係合させるのである。
【００４４】
固定窓枠８１ａが発泡樹脂からなるため、透視断熱ガラス９０との密着性が良く、別部品の冷気シールを設ける必要がない。また固定窓枠８１ａ自体の断熱性が大きいので、外界の熱が透視断熱ガラス９０の周囲から庫内に侵入することが少なく、冷蔵庫１の熱負荷を軽減できる。また透視断熱ガラス９０の表面に結露することも少なく、良好な透視性を確保できる。
【００４５】
また、弾力のある固定窓枠８１ａに透視断熱ガラス９０を係合させることにより、透視断熱ガラス９０ががたつきなく保持され、扉２１の開閉時にびびり音が発生することがない。繰り返し振動を受けてもがたつきが大きくなりにくいという意味で、振動に対する耐性も高い。
【００４６】
上記のように固定窓枠８１ａに透視断熱ガラス９０と押さえ窓枠８１ｂを係合させた後、押さえ窓枠８１ｂの前面に透明な保護パネル１００を差し込む。保護パネル１００はアクリルやポリカーボネートなどの透明樹脂、あるいは強化ガラスからなる。扉２１の４辺は合成樹脂製のサッシュで取り巻かれるが、１辺のみはサッシュを取り付けないでおき、ここから保護パネル１００を差し込む。保護パネル１００を所定位置まで押し込んだ後、残っていたサッシュを取り付ければ、保護パネル１００の取付は完了する。なお図５に示すサッシュ２８は扉２１の特定の１辺に適合する断面形状となっており、他の３辺のサッシュがすべてサッシュ２８と同じ断面形状という訳ではない。
【００４７】
保護パネル１００で扉２１の表面を覆うことにより、覗き窓８０の箇所を手でなでても窓枠８１に手指が引っかかることがない。また窓枠８１と扉２１の表面との段差に汚れが堆積することがない。このため、扉２１の手触りと美観を両方とも向上させることができる。
【００４８】
透視断熱ガラス９０の前に保護パネル１００を重ねたとき、押さえ窓枠８１ｂの肉厚により、透視断熱ガラス９０と保護パネル１００の間に空間が生じる。この空間内の空気が空気断熱層９４を形成し、覗き窓８０の断熱性能がさらに向上する。
【００４９】
扉２２、２３、２４も同様に保護パネル１００で表面を覆う。４枚の保護パネル１００にはそれぞれ裏面に塗装を施す。塗装は、パール調などの色調を得るための塗料を最初に吹き付け、これを白色塗料で裏打ちするという手順で行われる。鋼板製の扉の表面に焼き付け塗装を施すのと異なり、塗装に傷がつくことがない。このため、塗装がはがれたり、傷の箇所から錆が進行したりして美観が損なわれることがない。
【００５０】
扉２１の保護パネル１００の中で、覗き窓８０に対向する箇所は塗装対象から除外し、透明のまま残す。ただし覗き窓８０の中でも窓枠８１の部分はどのみち透視の妨げなので、窓枠８１に対向する箇所は塗装対象に含めるとよい。このようにすることにより、窓枠８１の存在自体も隠され、さらに美観が向上する。
【００５１】
続いて図６に基づき本発明の第２実施形態を説明する。図６は図５と同様の冷蔵庫扉の部分水平断面図である。
【００５２】
第２実施形態では、透視断熱ガラス９０の中で保護パネル１００を通じ外部から視認できる箇所の一部に示温塗料を塗布する。図示の例では、第３層ガラス９０ｃの表面に、押さえ窓枠８１ｂから内側にはみ出す形で額縁状に示温塗料９５を塗布する。示温塗料９５の色が、庫内温度が好適レベルにあるときとそれよりも高いときとで変わるように設定しておけば、扉２１の外から見た示温塗料９５の色に応じて適宜扉２１の開閉回数を調整し、庫内温度の管理に役立てることができる。
【００５３】
第１、第２実施形態とも、内部温度が冷蔵温度帯よりも低い庫内区画（製氷室７０）に対して覗き窓を設ける構造であるが、冷蔵温度帯の庫内区画に対して覗き窓を設けることも可能である。
【００５４】
また、冷凍温度帯と冷蔵温度帯に切り替えることのできる庫内区画を備え、夏場は容量の不足しがちな冷凍室として使用し、冬場は冷蔵室として使用することを可能にした冷蔵庫があるが、このような温度切り替え型の庫内区画に対して覗き窓を設けることもできる。この場合、扉を開けることを極力避けたい冷凍温度帯での使用時に、扉を開けることなく庫内区画をチェックすることができるという利点がある。
【００５５】
このように内部温度が切り替え可能である庫内区画に対し設けた覗き窓の透視断熱ガラスに示温塗料を塗布すれば、示温塗料の色を外から観察することにより、切り替え状態の温度状況を簡単に知ることができる。
【００５６】
また第１実施形態、第２実施形態のいずれにおいても、保護パネル１００には難燃性を備えたものを用いるのが望ましい。保護パネル１００の材料が強化ガラスであれば、当然に難燃性を備えているが、アクリルやポリカーボネートであっても、難燃性の等級を与えられたものを選択する。
【００５７】
このように保護パネル１００に難燃性を備えさせることにより、断熱筐体１０の側から出火した場合、その火が扉２１、２２、２３、２４から外部に燃え移り、外部が類焼するのを阻止することができる。また冷蔵庫１の外で出火した場合、その火が扉２１、２２、２３、２４を通じて断熱筐体１０に燃え移り、断熱筐体１０が類焼するのを阻止することができる。
【００５８】
扉２１、２２、２３、２４に保護パネル１００を取り付けるサッシュにはすべて難燃性材料を用いるのが望ましい。これにより、冷蔵庫１の防火性能を一層高めることができる。
【００５９】
続いて図７〜１４に基づき本発明の第３実施形態を説明する。第３実施形態は第１実施形態及び第２実施形態の扉２１の構造に改良を加えたものである。図７は透視断熱ガラス及び保護パネルを取り付ける前の扉の正面図、図８は図７の状態の扉の垂直断面図、図９は透視断熱ガラスを取り付けた状態の扉の正面図、図１０は図９の状態の扉の垂直断面図、図１１は保護パネル取り付け途中の扉の正面図、図１２は図１１の状態の扉の垂直断面図、図１３は完成状態の扉の正面図、図１４は扉表面を構成する鋼板の部分拡大垂直断面図である。
【００６０】
扉２１の表面には突起１０１が形成される。突起１０１は扉２１のほぼ全幅にわたって水平に延びる畝の形状を有し、垂直方向に所定間隔で複数個形成されている。突起１０１は、例えば図１４に示すように、扉２１の表面を構成する鋼板に突起をプレス加工して得ることができる。鋼板をプレス加工する代わりに、テープ状又はワッペン状の突起素材を貼りつけて突起１０１を形成してもよい。
【００６１】
押さえ窓枠８１ｂの上縁と下縁にも畝状の突起１０２が形成される。突起１０２の扉２１表面からの突き出し量は突起１０１のそれと同じである。
【００６２】
扉２１の４辺を覆うサッシュは、正面から見て左辺に取り付けられる左サッシュ２８Ｌ、右辺に取り付けられる右サッシュ２８Ｒ（図１３参照）、上辺に取り付けられる上サッシュ２８Ｔ、及び下辺に取り付けられる下サッシュ２８Ｂの４個の部材により構成される。
【００６３】
上サッシュ２８Ｔ及び下サッシュ２８Ｂは扉２１の表面よりも正面側に突き出している。この突き出し部分に、上サッシュ２８Ｔにおいては下向きとなった面、下サッシュ２８Ｂにおいては上向きとなった面、すなわち互いに対向する面にそれぞれ溝１０３が形成される。
【００６４】
扉２１の取付と組立は次のようにして行う。まず、透視断熱ガラス９０も保護パネル１００も取り付けない状態の扉２１の内部でポリウレタンを発泡させる。すなわち扉２１の断熱処理を行う。この状態の扉２１を断熱筐体１０に取り付ける。それから扉２１に左サッシュ２８Ｌ、上サッシュ２８Ｔ、下サッシュ２８Ｂを取り付ける。これらのサッシュを取り付けた後で扉２１を断熱筐体１０に取り付けてもよい。図７、８にはここまでの工程を済ませた扉２１が示されている。なお図８には扉２１の背後の断熱筐体１０まで図示してある（図１０、１２においても同様）。
【００６５】
図９、１０には次の段階が示されている。すなわち断熱筐体１０に取り付けた扉２１に対し、その正面側から透視断熱ガラス９０と押さえ窓枠８１ｂの嵌め込みが行われる。
【００６６】
図１１、１２にはさらに次の段階が示されている。すなわちここでは、上下サッシュ２８Ｔ、２８Ｂの溝１０３に扉２１の側面方向より保護パネル１００を差し込む。保護パネル１００には、覗き窓８０に対向する箇所に透明部１００ａが形成されている。右サッシュ２８Ｒがまだ取り付けられていない状態なので、右側から保護パネル１００を差し込むことになる。保護パネル１００はその裏面を突起１０１、１０２に接触させ、突起１０１、１０２の上を滑りつつ左サッシュ２８Ｌの方向へ進む。
【００６７】
保護パネル１００を一番奥まで差し込んだら右サッシュ２８Ｒを取り付け、保護パネル１００が抜け出さないようにする。これをもって扉２１の組立は完了となる。図１３は組立完了状態の扉２１を示すものである。
【００６８】
このように、扉２１の上下辺を覆う上サッシュ２８Ｔ及び下サッシュ２８Ｂに互いに対向する溝１０３を形成し、これらの溝１０３に扉２１の側面方向より保護パネル１００を差し込むものであるから、保護パネル１００の取り付けを容易且つスムーズに行うことができる。また扉２１の表面には保護パネル１００の裏面に接触する突起１０１、１０２が所定間隔で形成されているから、接触部に浮きを生じたりすることなく保護パネル１００を保持することができる。
【００６９】
また、断熱処理を終えた状態の扉２１をまず冷蔵庫本体に取り付け、それから透視断熱ガラス９０と保護パネル１００を取り付けものであるから、透視断熱ガラス９０も保護パネル１００も取り付け作業を楽に行うことができる。また扉２１を冷蔵庫本体に取り付ける時点では透視断熱ガラス９０と保護パネル１００の分の重量が軽減されているから、作業者の負担が少なくて済む。
【００７０】
扉の上下辺を覆う上サッシュ及び下サッシュの溝に保護パネル１００を差し込む点、扉表面には保護パネル１００の裏面に接触する突起を所定間隔で形成する点、及び断熱処理を終えた扉を断熱筐体１０に取り付けてから保護パネル１００を取り付ける点は、扉２１以外の扉、すなわち扉２２、２３、２４においても実施可能である。
【００７１】
続いて図１５に基づき本発明の第４実施形態を説明する。第４実施形態は第３実施形態の扉２１の構造に改良を加えたものである。図１５は扉の垂直断面図である。
【００７２】
第３実施形態では、突起１０１、１０２の扉２１表面からの突き出し量は一定であった。第４実施形態ではその突き出し量に変化を持たせ、上辺及び下辺に近い箇所では突き出し量が小さく、垂直方向の中心近くでは突き出し量が大きくなるようにした。これにより保護パネル１００は図１５に見られる通り湾曲し、ビスや接着剤の助けを借りることなく扉２１に（具体的には突起１０１、１０２に）ぴったりと密着する。
【００７３】
この実施形態では保護パネル１００が垂直面で湾曲しているが、水平面内で湾曲させる構成も可能である。球面状に湾曲させることもできる。
【００７４】
上記のような保護パネル１００の湾曲構造は、扉２１ばかりでなく、扉２２、２３、２４においても実施可能である。
【００７５】
以上、本発明の各実施形態につき説明したが、本発明の範囲はこれに限定されるものではなく、発明の主旨を逸脱しない範囲で種々の変更を加えて実施することができる。
【産業上の利用可能性】
【００７６】
本発明は家庭用又は業務用の冷蔵庫全般に利用可能である。
【図面の簡単な説明】
【００７７】
【図１】本発明の第１実施形態に係る冷蔵庫の正面図
【図２】全部の扉を開放した状態の冷蔵庫の正面図
【図３】扉の把手部分の構成を示す部分断面図
【図４】図１のＡ−Ａ線を断面箇所とする冷蔵庫扉の部分垂直断面図
【図５】図４のＢ−Ｂ線を断面箇所とする冷蔵庫扉の部分水平断面図
【図６】本発明の第２実施形態に係る冷蔵庫扉の部分水平断面図
【図７】本発明の第３実施形態に係る冷蔵庫の透視断熱ガラス及び保護パネルを取り付ける前の扉の正面図
【図８】図７の状態の扉の垂直断面図
【図９】透視断熱ガラスを取り付けた状態の扉の正面図
【図１０】図９の状態の扉の垂直断面図
【図１１】保護パネル取り付け途中の扉の正面図
【図１２】図１１の状態の扉の垂直断面図
【図１３】完成状態の扉の正面図
【図１４】扉表面を構成する鋼板の部分拡大垂直断面図
【図１５】本発明の第４実施形態に係る冷蔵庫の扉の垂直断面図
【符号の説明】
【００７８】
１    冷蔵庫
１０  断熱筐体
２１、２２、２３、２４  扉
２８Ｌ  左サッシュ
２８Ｒ  右サッシュ
２８Ｔ  上サッシュ
２８Ｂ  下サッシュ
３０、４０  冷蔵室
５０  野菜室
６０  冷凍室
７０  製氷室
８０  覗き窓
８１  窓枠
８１ａ  固定窓枠
８１ｂ  押さえ窓枠
８２、８３  段部
９０  透視断熱ガラス
９１  真空断熱層
９２  不活性ガス断熱層
９４  空気断熱層
９５  示温塗料
１００  保護パネル
１０１、１０２  突起
１０３  溝
【図１】
2005331221.tif 000003
【図２】
2005331221.tif 000004
【図３】
2005331221.tif 000005
【図４】
2005331221.tif 000006
【図５】
2005331221.tif 000007
【図６】
2005331221.tif 000008
【図７】
2005331221.tif 000009
【図８】
2005331221.tif 000010
【図９】
2005331221.tif 000011
【図１０】
2005331221.tif 000012
【図１１】
2005331221.tif 000013
【図１２】
2005331221.tif 000014
【図１３】
2005331221.tif 000015
【図１４】
2005331221.tif 000016
【図１５】
2005331221.tif 000017